(57)【要約】  被視認性の向上を図る。  開口を有するランプハウジング（４）と、開口を閉塞するカバー（５）と、光出射面を有する有機エレクトロルミネッセンスパネル（１３）と、有機エレクトロルミネッセンスパネル（１３）が取り付けられた取付体（７）とを備え、取付体（７）が透明に形成された。これにより、透明な取付体（７）が配置されるため、取付体（７）が目立ち難くなり、車輌用灯具の外部から取付体（７）の存在が認識され難く、被視認性の向上を図ることができる。
2019167576.tif 000002
【特許請求の範囲】
【請求項１】
開口を有するランプハウジングと、  前記開口を閉塞するカバーと、  光出射面を有する有機エレクトロルミネッセンスパネルと、  前記有機エレクトロルミネッセンスパネルが取り付けられた取付体とを備え、  前記取付体が透明に形成された  車輌用灯具。
【請求項２】
前記取付体に差込穴が形成され、  前記有機エレクトロルミネッセンスパネルは一部が前記差込穴に差し込まれた状態で前記取付体に取り付けられた  請求項１に記載の車輌用灯具。
【請求項３】
光を出射する光源が設けられ、  前記光源から出射された光が前記取付体を透過される  請求項１又は請求項２に記載の車輌用灯具。
【請求項４】
前記取付体の少なくとも一部が前記光源から出射された光を導く導光体とされた  請求項３に記載の車輌用灯具。
【請求項５】
前記取付体に前記有機エレクトロルミネッセンスパネルが取り付けられる取付部が設けられ、  前記取付部の一方の面が前記有機エレクトロルミネッセンスパネルが取り付けられる取付面として形成され、  前記取付部における前記取付面と反対側の他方の面が前記光源から出射された光を出光する出光面として形成された  請求項４に記載の車輌用灯具。
【請求項６】
前記有機エレクトロルミネッセンスパネルが湾曲された状態で前記取付体に取り付けられた  請求項１、請求項２、請求項３、請求項４又は請求項５に記載の車輌用灯具。
【請求項７】
開口を有するランプハウジングと、  前記開口を閉塞するカバーと、  光出射面を有し光源として設けられた少なくとも一つの有機エレクトロルミネッセンスパネルと、  前記有機エレクトロルミネッセンスパネルが取り付けられた取付体とを備え、  前記少なくとも一つの有機エレクトロルミネッセンスパネルに湾曲部が設けられ、  前記湾曲部が複数設けられ、  前記湾曲部のうち少なくとも二つの前記湾曲部における前記光出射面の湾曲方向が異なる  車輌用灯具。
【請求項８】
前記有機エレクトロルミネッセンスパネルの少なくとも一つが捻れた形状に形成された  請求項７に記載の車輌用灯具。
【請求項９】
前記有機エレクトロルミネッセンスパネルが複数設けられ、  複数の前記有機エレクトロルミネッセンスパネルにそれぞれ前記湾曲部が設けられた  請求項７又は請求項８に記載の車輌用灯具。
【請求項１０】
少なくとも一つの前記有機エレクトロルミネッセンスパネルの前記光出射面が凸の曲面に形成され、  別の少なくとも一つの前記有機エレクトロルミネッセンスパネルの前記光出射面が凹の曲面に形成された  請求項９に記載の車輌用灯具。
【請求項１１】
隣接して位置される第１の灯具部と第２の灯具部によって構成され、  前記第１の灯具部は開口を有する第１のランプハウジングと前記第１のランプハウジングの開口を閉塞する第１のカバーとを備え、  前記第２の灯具部は開口を有する第２のランプハウジングと前記第２のランプハウジングの開口を閉塞する第２のカバーとを備え、  前記第１の灯具部と前記第２の灯具部にはそれぞれ少なくとも一つの取付体が設けられ、  前記第１の灯具部の前記取付体と前記第２の灯具部の前記取付体とにはそれぞれ少なくとも一つの有機エレクトロルミネッセンスパネルが取り付けられ、  少なくとも一つの前記有機エレクトロルミネッセンスパネルには湾曲部が設けられ、  前記湾曲部が複数設けられ、  前記湾曲部のうち少なくとも二つの前記湾曲部における前記光出射面の湾曲方向が異なる  車輌用灯具。
【発明の詳細な説明】
【技術分野】
【０００１】  本発明は、有機エレクトロルミネッセンスパネルを有する車輌用灯具についての技術分野に関する。
【背景技術】
【０００２】  車輌用灯具には光源として有機ＥＬパネル（有機エレクトロルミネッセンスパネル）が用いられたものがある（例えば、特許文献１参照）。有機ＥＬパネルは面発光する自発光型のパネルであり、近年、有機ＥＬパネルに関する技術が向上し、有機ＥＬパネルを光源として用いる車輌用灯具の開発が進展している。【０００３】  このような有機ＥＬパネルはランプハウジングとカバーによって形成された内部空間である灯室において、例えば、取付体（特許文献１においては「支持部材」）に取り付けられた状態で配置される。
【先行技術文献】
【特許文献】
【０００４】
【特許文献１】特開２０１７−２０８２２６号公報
【発明の概要】
【発明が解決しようとする課題】
【０００５】  上記したように、光源として有機ＥＬパネルを用いる車輌用灯具においては、有機ＥＬパネルが取付体に取り付けられて配置されるが、有機ＥＬパネルが面状光源であるため、光源として用いられる発光ダイオード（ＬＥＤ: Light Emitting Diode）等の他の光源と比較して灯室における占有面積が大きくなり易く、その分、取付体の大きさも大きくなり易い。【０００６】  従って、灯室において取付体が目立ち易くなり、視認者が車輌用灯具を視認したときの被視認性の低下を生じるおそれがある。【０００７】  そこで、本発明は、被視認性の向上を図ることを目的とする。
【課題を解決するための手段】
【０００８】  第１に、本発明に係る車輌用灯具は、開口を有するランプハウジングと、前記開口を閉塞するカバーと、光出射面を有する有機エレクトロルミネッセンスパネルと、前記有機エレクトロルミネッセンスパネルが取り付けられた取付体とを備え、前記取付体が透明に形成されたものである。【０００９】  これにより、透明な取付体がランプハウジングとカバーによって形成される内部空間に配置されるため、取付体が目立ち難くなる。【００１０】  第２に、上記した本発明に係る車輌用灯具においては、前記取付体に差込穴が形成され、前記有機エレクトロルミネッセンスパネルは一部が前記差込穴に差し込まれた状態で前記取付体に取り付けられることが望ましい。【００１１】  これにより、有機エレクトロルミネッセンスパネルは一部が差込穴に差し込まれて取付体に保持される。【００１２】  第３に、上記した本発明に係る車輌用灯具においては、光を出射する光源が設けられ、前記光源から出射された光が前記取付体を透過されることが望ましい。【００１３】  これにより、光源から出射された光が取付体を透過され、光源から出射された光と有機エレクトロルミネッセンスパネルから出射された光とが外部へ向けて照射される。【００１４】  第４に、上記した本発明に係る車輌用灯具においては、前記取付体の少なくとも一部が前記光源から出射された光を導く導光体とされることが望ましい。【００１５】  これにより、光源から出射された光が取付体の一部で導かれて出光される。【００１６】  第５に、上記した本発明に係る車輌用灯具においては、前記取付体に前記有機エレクトロルミネッセンスパネルが取り付けられる取付部が設けられ、前記取付部の一方の面が前記有機エレクトロルミネッセンスパネルが取り付けられる取付面として形成され、前記取付部における前記取付面と反対側の他方の面が前記光源から出射された光を出光する出光面として形成されることが望ましい。【００１７】  これにより、取付部に有機エレクトロルミネッセンスパネルが取り付けられると共に取付部の出光面から光が出光されるため、取付部の両側へ向けて光を出射させることが可能になる。【００１８】  第６に、上記した本発明に係る車輌用灯具においては、前記有機エレクトロルミネッセンスパネルが湾曲された状態で前記取付体に取り付けられることが望ましい。【００１９】  これにより、湾曲された有機エレクトロルミネッセンスパネルから光が出射される。【００２０】  第７に、別の本発明に係る車輌用灯具は、開口を有するランプハウジングと、前記開口を閉塞するカバーと、光出射面を有し光源として設けられた少なくとも一つの有機エレクトロルミネッセンスパネルと、前記有機エレクトロルミネッセンスパネルが取り付けられた取付体とを備え、前記少なくとも一つの有機エレクトロルミネッセンスパネルに湾曲部が設けられ、前記湾曲部が複数設けられ、前記湾曲部のうち少なくとも二つの前記湾曲部における前記光出射面の湾曲方向が異なるものである。【００２１】  これにより、少なくとも二つの湾曲部の光出射面から出射された光の照射範囲が異なる方向になると共に照射方向が異なる方向になる。【００２２】  第８に、上記した別の本発明に係る車輌用灯具においては、前記有機エレクトロルミネッセンスパネルの少なくとも一つが捻れた形状に形成されることが望ましい。【００２３】  これにより、有機ＥＬパネルの捻られた各部からそれぞれ光が異なる方向へ出射される。【００２４】  第９に、上記した別の本発明に係る車輌用灯具においては、前記有機エレクトロルミネッセンスパネルが複数設けられ、複数の前記有機エレクトロルミネッセンスパネルにそれぞれ前記湾曲部が設けられることが望ましい。【００２５】  これにより、湾曲部をそれぞれ有する複数の有機ＥＬパネルから光が出射される。【００２６】  第１０に、上記した別の本発明に係る車輌用灯具においては、少なくとも一つの前記有機エレクトロルミネッセンスパネルの前記光出射面が凸の曲面に形成され、別の少なくとも一つの前記有機エレクトロルミネッセンスパネルの前記光出射面が凹の曲面に形成されることが望ましい。【００２７】  これにより、光出射面が凸の曲面に形成された有機ＥＬパネルから出射される光の照射範囲及び照度と光出射面が凹の曲面に形成された有機ＥＬパネルから出射される光の照射範囲及び照度とが異なる。【００２８】  第１１に、また別の本発明に係る車輌用灯具は、隣接して位置される第１の灯具部と第２の灯具部によって構成され、前記第１の灯具部は開口を有する第１のランプハウジングと前記第１のランプハウジングの開口を閉塞する第１のカバーとを備え、前記第２の灯具部は開口を有する第２のランプハウジングと前記第２のランプハウジングの開口を閉塞する第２のカバーとを備え、前記第１の灯具部と前記第２の灯具部にはそれぞれ少なくとも一つの取付体が設けられ、前記第１の灯具部の前記取付体と前記第２の灯具部の前記取付体とにはそれぞれ少なくとも一つの有機エレクトロルミネッセンスパネルが取り付けられ、少なくとも一つの前記有機エレクトロルミネッセンスパネルには湾曲部が設けられ、前記湾曲部が複数設けられ、前記湾曲部のうち少なくとも二つの前記湾曲部における前記光出射面の湾曲方向が異なるものである。【００２９】  これにより、少なくとも二つの湾曲部の光出射面から出射された光の照射範囲が異なる方向になると共に照射方向が異なる方向になる。
【発明の効果】
【００３０】  本発明によれば、透明な取付体が配置されるため、取付体が目立ち難くなり、車輌用灯具の外部から取付体の存在が認識され難く、被視認性の向上を図ることができる。
【図面の簡単な説明】
【００３１】
【図１】車輌用灯具が車体に配置された状態を示す背面図である。
【図２】図３乃至図５と共に第１の実施の形態に係る車輌用灯具を示すものであり、本図は、カバーを取り外して示す車輌用灯具の斜視図である。
【図３】第１の灯具部の内部構造を示す断面図である。
【図４】第２の灯具部の内部構造を示す断面図である。
【図５】取付体に反射防止膜が施された例を示す断面図である。
【図６】取付体等の第１の変形例を示す断面図である。
【図７】取付体等の第２の変形例を示す断面図である。
【図８】取付体等の第３の変形例を示す斜視図である。
【図９】取付体等の第３の変形例を示す側面図である。
【図１０】取付体等の第４の変形例を示す側面図である。
【図１１】取付体等の第５の変形例を示す側面図である。
【図１２】取付体等の第６の変形例を示す斜視図である。
【図１３】取付体等の第６の変形例を示す平面図である。
【図１４】図１５乃至図１８と共に第２の実施の形態に係る車輌用灯具を示すものであり、本図は、カバーを取り外して示す車輌用灯具の斜視図である。
【図１５】内部構造を示す分解斜視図である。
【図１６】内部構造を示す斜視図である。
【図１７】第１の灯具部の内部構造を示す側面図である。
【図１８】第２の灯具部の内部構造を示す側面図である。
【図１９】図２０乃至図２２と共に第３の実施の形態に係る車輌用灯具を示すものであり、本図は、内部構造を示す分解斜視図である。
【図２０】内部構造を示す斜視図である。
【図２１】第１の灯具部の内部構造を示す側面図である。
【図２２】第２の灯具部の内部構造を示す側面図である。
【図２３】図２４乃至図２６と共に第４の実施の形態に係る車輌用灯具を示すものであり、本図は、内部構造を示す分解斜視図である。
【図２４】内部構造を示す斜視図である。
【図２５】第１の灯具部の内部構造を示す側面図である。
【図２６】第２の灯具部の内部構造を示す側面図である。
【図２７】有機ＥＬパネルの湾曲状態の各例を示す概念図である。
【発明を実施するための形態】
【００３２】  以下に、本発明車輌用灯具を実施するための形態について添付図面を参照して説明する。
【００３３】  以下に示した実施の形態は、本発明車輌用灯具を車体の後端部に配置されたテールランプ等の車輌用灯具に適用したものである。尚、本発明は、ヘッドランプ、テールランプ、クリアランスランプ、ターンシグナルランプ、ストップランプ、デイタイムランニングランプ、コーナーリングランプ、ハザードランプ、ポジションランプ、バックランプ、フォグランプ又はこれらの組み合わせであるコンビネーションランプ等の各種の車輌用灯具に広く適用することができる。
【００３４】  以下の説明にあっては、車輌用灯具が車体の後端部に配置された状態で前後上下左右の方向を示すものとする。但し、以下に示す前後上下左右の方向は説明の便宜上のものであり、本発明の実施に関しては、これらの方向に限定されることはない。また、以下には、光源として有機エレクトロルミネッセンスパネルが用いられた車輌用灯具の例を示しているが、有機エレクトロルミネッセンスパネルには文字や図形等を表示する有機エレクトロルミネッセンスディスプレイも含まれる。
【００３５】  ＜第１の実施の形態に係る車輌用灯具＞  先ず、第１の実施の形態に係る車輌用灯具１について説明する（図１乃至図５参照）。
【００３６】  車輌用灯具１、１は、例えば、車体２００の後端部における左右両端部にそれぞれ取り付けられて配置されている（図１参照）。車輌用灯具１は、例えば、車体２００の本体部２０１等の非可動部に配置された第１の灯具部２とトランクリッド２０２等の可動部に配置された第２の灯具部３とによって構成されている。
【００３７】  尚、本発明においては、第１の灯具部２のみによって車輌用灯具が構成されていてもよく、また、第２の灯具部３のみによって車輌用灯具が構成されていてもよい。
【００３８】  上記のように、車輌用灯具１は本体部２０１に第１の灯具部２が配置されトランクリッド２０２に第２の灯具部３が配置されており、トランクリッド２０２が閉じられた状態において第１の灯具部２と第２の灯具部３が隣接して位置される。
【００３９】  尚、上記には、第１の灯具部２が本体部２０１等の非可動部に配置され、第２の灯具部３がトランクリッド２０２等の可動部に配置された例を示したが、逆に、第１の灯具部２がトランクリッド２０２等の可動部に配置され、第２の灯具部３が本体部２０１等の非可動部に配置されていてもよい。また、第１の灯具部２と第２の灯具部３の双方が可動部に配置されていてもよく、第１の灯具部２と第２の灯具部３の双方が非可動部に配置されていてもよい。
【００４０】  第１の灯具部２は後方に開口されたランプハウジング４とランプハウジング４の開口を閉塞するカバー５とを備えている（図２及び図３参照）。ランプハウジング４とカバー５によって灯具外筐６が構成され、灯具外筐６の内部空間が灯室６ａとして形成されている。
【００４１】  灯室６ａには取付体７が配置され、取付体７は灯室６ａにおいて、例えば、ランプハウジング４に取り付けられている。取付体７は透明に形成され、前側に位置されたベース部８とベース部８からそれぞれ上斜め後方に突出された取付部１２、１２、１２とを有している。
【００４２】  ベース部８は階段状に形成され、上段部９と中段部１０と下段部１１が上方から順に連続されている。
【００４３】  取付部１２、１２、１２は横長の平板状に形成され、それぞれ上段部９と中段部１０と下段部１１の各上端部における後端部から突出されている。取付部１２の下側の面は取付面１２ａとして形成されている。
【００４４】  取付体７の取付面１２ａ、１２ａ、１２ａにはそれぞれ第１の有機ＥＬパネル（有機エレクトロルミネッセンスパネル）１３、１３、１３が、例えば、粘着等によって取り付けられている。
【００４５】  第１の有機ＥＬパネル１３、１３、１３はそれぞれ取付面１２ａ、１２ａ、１２ａの大きさより一回り大きくされ、取付部１２、１２、１２に取り付けられた状態において外周部の一部がそれぞれ取付面１２ａ、１２ａ、１２ａから突出される。
【００４６】  第１の有機ＥＬパネル１３における外周部の一部が取付面１２ａから突出されることにより、外部から取付体７が視認され難くなり、被視認性の向上が図られる。また、第１の有機ＥＬパネル１３が、外周部の一部が取付面１２ａから突出される大きさに形成されることにより、第１の有機ＥＬパネル１３から出射される光の照射範囲を大きくすることができると共に輝度の向上を図ることができる。
【００４７】  第１の有機ＥＬパネル１３は平板状に形成され、取付面１２ａに取り付けられる面と反対側の面が光出射面１３ａとして形成されている。
【００４８】  上記のように構成された第１の灯具部２において、第１の有機ＥＬパネル１３、１３、１３から出射された光はカバー５を透過されて主に後方へ向けて照射される。
【００４９】  尚、第１の灯具部２においては、ランプハウジング４の内面や取付体７の各面の少なくとも一部が反射面として形成されていてもよく、この場合には第１の有機ＥＬパネル１３、１３、１３から出射された光の一部がこれらの反射面で反射されて主に後方へ向けて照射される。
【００５０】  第２の灯具部３は後方に開口されたランプハウジング１４とランプハウジング１４の開口を閉塞するカバー１５とを備えている（図２及び図４参照）。ランプハウジング１４とカバー１５によって灯具外筐１６が構成され、灯具外筐１６の内部空間が灯室１６ａとして形成されている。
【００５１】  灯室１６ａには取付体１７が配置され、取付体１７は灯室１６ａにおいて、例えば、ランプハウジング１４に取り付けられている。取付体１７は透明に形成され、前側に位置されたベース部１８とベース部１８の下端寄りの位置から後方に突出された第１の取付部１９と第１の取付部１９の後端寄りの位置から上斜め後方に突出された連結部２０と連結部２０の上端に連続された第２の取付部２１とを有している。
【００５２】  ベース部１８は前後方向を向く横長の平板状に形成されている。
【００５３】  第１の取付部１９は左右に延び上下方向を向く板状に形成され、後面が取付面１９ａとして形成されている。取付面１９ａは下斜め後方を向く面にされている。
【００５４】  第２の取付部２１は連結部２０の上端部から下斜め後方に突出され、上面が取付面２１ａとして形成されている。取付面２１ａは前後方向における中間部が上斜め後方に凸になるように緩やかに湾曲されている。
【００５５】  第１の取付部１９の取付面１９ａには第２の有機ＥＬパネル（有機エレクトロルミネッセンスパネル）２２が、例えば、粘着等によって取り付けられている。
【００５６】  第２の有機ＥＬパネル２２は取付面１９ａの大きさより一回り大きくされ、第１の取付部１９に取り付けられた状態において外周部の少なくとも一部がそれぞれ取付面１９ａから突出される。
【００５７】  第２の有機ＥＬパネル２２における外周部の少なくとも一部が取付面１９ａから突出されることにより、外部から取付体１７が視認され難くなり、被視認性の向上が図られる。また、第２の有機ＥＬパネル２２が、外周部の少なくとも一部が取付面１９ａから突出される大きさに形成されることにより、第２の有機ＥＬパネル２２から出射される光の照射範囲を大きくすることができると共に輝度の向上を図ることができる。
【００５８】  第２の有機ＥＬパネル２２は取付面１９ａに取り付けられる面と反対側の面が光出射面２２ａとして形成されている。
【００５９】  第２の取付部２１の取付面２１ａには第３の有機ＥＬパネル（有機エレクトロルミネッセンスパネル）２３が、例えば、粘着等によって取り付けられている。
【００６０】  第３の有機ＥＬパネル２３は取付面２１ａの大きさより一回り大きくされ、第２の取付部２１に取り付けられた状態において外周部の少なくとも一部がそれぞれ取付面２１ａから突出される。
【００６１】  第３の有機ＥＬパネル２３における外周部の少なくとも一部が取付面２１ａから突出されることにより、外部から取付体１７が視認され難くなり、被視認性の向上が図られる。また、第３の有機ＥＬパネル２３が、外周部の少なくとも一部が取付面２１ａから突出される大きさに形成されることにより、第３の有機ＥＬパネル２３から出射される光の照射範囲を大きくすることができると共に輝度の向上を図ることができる。
【００６２】  第３の有機ＥＬパネル２３は取付面２１ａに取り付けられる面と反対側の面が光出射面２３ａとして形成されている。第３の有機ＥＬパネル２３は光出射面２３ａの前後方向における中間部が上斜め後方に凸になるように緩やかに湾曲された状態で第２の取付部２１に取り付けられている。
【００６３】  第２の有機ＥＬパネル２２と第３の有機ＥＬパネル２３がそれぞれ第１の取付部１９と第２の取付部２１に取り付けられた状態において、第２の有機ＥＬパネル２２の上端部と第３の有機ＥＬパネル２３の下端部とが前後方向において重なった状態にされている。
【００６４】  このように第２の有機ＥＬパネル２２の上端部と第３の有機ＥＬパネル２３の下端部とが前後方向において重なった状態にされることにより、外部から取付体１７が視認され難くなり、被視認性の向上が図られる。
【００６５】  上記のように構成された第２の灯具部３において、第２の有機ＥＬパネル２２と第３の有機ＥＬパネル２３から出射された光は、カバー１５を透過されて主に後方へ向けて照射される。
【００６６】  尚、第２の灯具部３においては、ランプハウジング１４の内面や取付体１７の各面の少なくとも一部が反射面として形成されていてもよく、この場合には第２の有機ＥＬパネル２２と第３の有機ＥＬパネル２３から出射された光の一部がこれらの反射面で反射されて主に後方へ向けて照射される。
【００６７】  以上に記載した通り、車輌用灯具１にあっては、取付体７と取付体１７が透明に形成されているため、取付体７と取付体１７が目立ち難くなり、車輌用灯具１の外部から取付体７と取付体１７の存在が認識され難く、被視認性の向上を図ることができる。
【００６８】  特に、取付体７と取付体１７が目立ち難いため、第１の有機ＥＬパネル１３と第２の有機ＥＬパネル２２と第３の有機ＥＬパネル２３が宙に浮いた状態に認識され易く、意匠性及び被視認性の向上を図ることができる。
【００６９】  また、取付体７と取付体１７が透明に形成されているため、取付体７と取付体１７の表面で光の反射が生じ難くなり、配光に影響を及ぼす光が生じ難く、必要な配光を確保することができる。
【００７０】  さらに、第２の灯具部３においては、第３の有機ＥＬパネル２３が湾曲された状態で取付体１７に取り付けられているため、湾曲された第３の有機ＥＬパネル２３から光が出射され、光の十分な照射範囲を確保した上で必要な配光を確保することができる。
【００７１】  尚、上記には、第３の有機ＥＬパネル２３が湾曲された例を示したが、第１の有機ＥＬパネル１３と第２の有機ＥＬパネル２２が湾曲された状態でそれぞれ取付体７と取付体１７に取り付けられていてもよい。
【００７２】  また、上記には、第１の灯具部２に三つの有機ＥＬパネルが配置され第２の灯具部３に二つの有機ＥＬパネルが配置された例を示したが、第１の灯具部２と第２の灯具部３に配置される有機ＥＬパネルの数はそれぞれ一つでも複数でもよく任意である。
【００７３】  尚、取付体７と取付体１７には光の反射を防止するための反射防止膜等の反射防止処理が施されていてもよい（図５参照）。取付体７を例にとると、例えば、上段部９の後面９ａと中段部１０の後面１０ａと中段部１０の上面１０ｂと下段部１１の後面１１ａと下段部１１の上面１１ｂとにそれぞれ反射防止膜２４、２４、・・・が施されていてもよい。また、上下方向における中央と最も下側に位置する取付部１２、１２の上面１２ｂ、１２ｂ等にもそれぞれ反射防止膜２４、２４、・・・が施されていてもよい。
【００７４】  このように取付体７と取付体１７に反射防止処理が施されることにより、第１の有機ＥＬパネル１３と第２の有機ＥＬパネル２２と第３の有機ＥＬパネル２３から出射された光が反射防止処理が行われた面で反射されないため、取付体７と取付体１７が一層目立ち難くなり、一層の被視認性の向上を図ることができる。
【００７５】  ＜取付体等の変形例＞  次に、取付体等の各変形例について説明する（図６乃至図１２参照）。
【００７６】  尚、以下の各変形例について、上記した取付体７、取付体１７、第１の有機ＥＬパネル１３、第２の有機ＥＬパネル２２又は第３の有機ＥＬパネル２３と同様の構成が用いられる場合には、上記において説明した符号と同じ符号を付して詳細な説明は省略する。
【００７７】  第１の変形例は、取付体７において有機ＥＬパネルが差し込まれて取付体に保持される例である（図６参照）。
【００７８】  取付体７には取付部１２、１２、１２の下側にそれぞれベース部８からそれぞれ上斜め後方に突出された突部２５、２５、２５が設けられ、突部２５、２５、２５のベース部８からの突出量は取付部１２、１２、１２のベース部８からの突出量より小さくされている。取付部１２と突部２５の間の空間は差込穴７ａとして形成されている。
【００７９】  第１の有機ＥＬパネル１３は外周部の一部が差込穴７ａに差し込まれ、取付面１２ａに、例えば、粘着等によって取り付けられる。
【００８０】  このように第１の有機ＥＬパネル１３の一部が差込穴７ａに差し込まれた状態で取付体７に取り付けられることにより、第１の有機ＥＬパネル１３は一部が差込穴７ａに差し込まれて取付体７に保持されるため、第１の有機ＥＬパネル１３の取付体７に対する取付作業における作業性の向上を図ることができる。
【００８１】  尚、差込穴を有する構成は取付体１７に用いることも可能である。
【００８２】  第２の変形例は、連結部２０が第１の取付部１９に結合されて取付体１７が構成される例である（図７参照）。
【００８３】  第１の取付部１９には上方に開口された結合穴１９ｂが形成されている。連結部２０と第２の取付部２１はベース部１８及び第１の取付部１９とは別の部材２６の各部として設けられ、連結部２０が結合穴１９ｂに挿入されて部材２６が第１の取付部１９に結合され取付体１７が構成される。
【００８４】  このような構成においては、予め第２の有機ＥＬパネル２２が取り付けられた第１の取付部１９に、予め第３の有機ＥＬパネル２３が取り付けられた部材２６を結合することにより、第２の有機ＥＬパネル２２と第３の有機ＥＬパネル２３が取り付けられた取付体１７が構成される。従って、同一の部材にそれぞれ第２の有機ＥＬパネル２２と第３の有機ＥＬパネル２３を取り付ける必要がなく、取付体１７への第２の有機ＥＬパネル２２と第３の有機ＥＬパネル２３の取付作業における作業性の向上を図ることができる。
【００８５】  特に、第２の有機ＥＬパネル２２の一部と第３の有機ＥＬパネル２３の一部とが前後方向において重なるような構成では、第２の有機ＥＬパネル２２と第３の有機ＥＬパネル２３の取付作業において両者が干渉するおそれがある。従って、上記のような別部材にそれぞれ第２の有機ＥＬパネル２２と第３の有機ＥＬパネル２３を取り付ける構成にすることにより、第２の有機ＥＬパネル２２と第３の有機ＥＬパネル２３の取付体１７への取付作業を容易かつ円滑に行うことが可能になる。
【００８６】  尚、別の部材を他の部材に結合する構成は取付体７に用いることも可能である。
【００８７】  第３の変形例は、有機ＥＬパネルに加えて別の光源が用いられる例である（図８及び図９参照）。
【００８８】  このような例においては、例えば、取付体２７が用いられる。取付体２７は透明に形成され、上下方向を向く横長の略平板状に形成されたベース部２８とベース部２８の前端部から上斜め後方に突出された第１の取付部２９とベース部２８の前端部から下斜め後方に突出された第２の取付部３０とを有している。
【００８９】  ベース部２８は前面が入光面２８ａとして形成され後面が出光面２８ｂとして形成されている。ベース部２８は入光面２８ａと出光面２８ｂの間に位置された外周面が反射面２８ｃとして形成されている。反射面２８ｃはベース部２８を透過される光を内面反射（全反射）させる機能を有し、例えば、反射面２８ｃには内面反射させるためのステップ形状が形成されていてもよい。
【００９０】  第１の取付部２９と第２の取付部３０は、例えば、前後方向における中央部が略後方に凸になるように緩やかに湾曲され、ベース部２８側を向く面がそれぞれ取付面２９ａ、３０ａとして形成されている。
【００９１】  第１の取付部２９の取付面２９ａと第２の取付部３０の取付面３０ａとにはそれぞれ有機ＥＬパネル３１、３１が、例えば、粘着等によって取り付けられている。
【００９２】  有機ＥＬパネル３１、３１は取付面２９ａ、３０ａの大きさより一回り大きくされ、第１の取付部２９と第２の取付部３０に取り付けられた状態において外周部の一部がそれぞれ取付面２９ａと取付面３０ａから突出される。
【００９３】  有機ＥＬパネル３１、３１は取付面２９ａ、３０ａに取り付けられる面と反対側の面がそれぞれ光出射面３１ａ、３１ａとして形成されている。有機ＥＬパネル３１、３１は、例えば、前後方向における中央部が略後方に凸になるように緩やかに湾曲された状態で第１の取付部２９と第２の取付部３０に取り付けられている。第１の取付部２９に取り付けられた有機ＥＬパネル３１は下端がベース部２８における上面の近傍に位置され、第２の取付部３０に取り付けられた有機ＥＬパネル３１は上端がベース部２８における下面の近傍に位置されている。
【００９４】  取付体２７の前方には入光面２８ａに対向する位置に光源３２が配置されている。光源３２は、例えば、図示しない配置部材に配置されている。光源３２としては、例えば、発光ダイオード（ＬＥＤ: Light Emitting Diode）が用いられている。
【００９５】  上記の構成において、有機ＥＬパネル３１、３１から出射された光は、カバーを透過されて主に後方へ向けて照射される。また、光源３２から出射された光は、入光面２８ａからベース部２８に入射され反射面２８ｃで内面反射されて出光面２８ｂへ向けて導かれ、出光面２８ｂから出光されカバーを透過されて後方へ向けて照射される。
【００９６】  このように光源３２から出射された光が取付体２７のベース部２８を透過され、光源３２から出射された光と有機ＥＬパネル３１、３１から出射された光とが外部へ向けて照射されるため、有機ＥＬパネル３１、３１から出射された光と光源３２から出射された光とが照明光として照射され、輝度の向上を図ることができると共に設計の自由度が高まり必要な配光を確保することができる。
【００９７】  また、取付体２７の一部であるベース部２８が光源３２から出射された光を導く導光体として機能するため、光源３２から出射された光が取付体２７の一部で導かれて出光され、取付体２７の機能性の向上による部品点数の削減及び設計の自由度の向上を図ることができる。
【００９８】  さらに、有機ＥＬパネル３１、３１が湾曲された状態で取付体２７に取り付けられているため、湾曲された有機ＥＬパネル３１、３１から光が出射され、光の十分な照射範囲を確保した上で必要な配光を確保することができる。
【００９９】  第４の変形例は、取付体７が用いられた構成において、有機ＥＬパネルに加えて別の光源が用いられる例である（図１０参照）。
【０１００】  取付体７におけるベース部８の後面にはレンズステップ８ａ、８ａ、８ａが上下に離隔して形成されている。レンズステップ８ａ、８ａ、８ａは、例えば、拡散ステップである。
【０１０１】  取付体７の前側にはベース部８に対向する位置に支持板３３が配置されている。支持板３３は上下に位置し前後方向を向く平板状の垂直部３３ａ、３３ａを有している。垂直部３３ａ、３３ａの後面にはそれぞれ回路パターンを有する基板３４、３４と基板３４、３４の後面に搭載された光源３５、３５、・・・とが配置されている。光源３５としては、例えば、発光ダイオードが用いられている。
【０１０２】  上記の構成において、第１の有機ＥＬパネル１３、１３、１３から出射された光は、カバー５を透過されて主に後方へ向けて照射される。また、光源３５、３５、・・・から出射された光は、取付体７のベース部８に入射されレンズステップ８ａ、８ａ、８ａで拡散されカバー５を透過されて後方へ向けて照射される。
【０１０３】  このように光源３５、３５、・・・から出射された光が取付体７のベース部８を透過され、光源３５、３５、・・・から出射された光と第１の有機ＥＬパネル１３から出射された光とが外部へ向けて照射されるため、第１の有機ＥＬパネル１３から出射された光と光源３５、３５、・・・から出射された光とが照明光として照射され、輝度の向上を図ることができると共に設計の自由度が高まり必要な配光を確保することができる。
【０１０４】  第５の変形例は、取付体１７が用いられた構成において、有機ＥＬパネルに加えて別の光源が用いられる例である（図１１参照）。
【０１０５】  取付体１７におけるベース部１８の後面には、第１の取付部１９の上下にレンズステップ１８ａ、１８ａが形成されている。レンズステップ１８ａ、１８ａは、例えば、拡散ステップである。
【０１０６】  取付体１７の前側にはベース部１８に対向する位置に支持板３６が配置されている。支持板３６の後面にはレンズステップ１８ａ、１８ａのそれぞれ前方に回路パターンを有する基板３７、３７と基板３７、３７の後面に搭載された光源３８、３８、・・・とが配置されている。光源３８としては、例えば、発光ダイオードが用いられている。
【０１０７】  上記の構成において、第２の有機ＥＬパネル２２と第３の有機ＥＬパネル２３からそれぞれ出射された光は、カバー１５を透過されて主に後方へ向けて照射される。また、光源３８、３８、・・・から出射された光は、取付体１７のベース部１８に入射されレンズステップ１８ａ、１８ａで拡散されカバー１５を透過されて後方へ向けて照射される。
【０１０８】  このように光源３８、３８、・・・から出射された光が取付体１７のベース部１８を透過され、光源３８、３８、・・・から出射された光と第２の有機ＥＬパネル２２と第３の有機ＥＬパネル２３から出射された光とが外部へ向けて照射されるため、第２の有機ＥＬパネル２２と第３の有機ＥＬパネル２３から出射された光と光源３８、３８、・・・から出射された光とが照明光として照射され、輝度の向上を図ることができると共に設計の自由度が高まり必要な配光を確保することができる。
【０１０９】  第６の変形例は、有機ＥＬパネルに加えて別の光源が用いられる例である（図１２及び図１３参照）。
【０１１０】  このような例においては、例えば、取付体３９が用いられる。取付体３９は透明に形成され、前後方向を向く横長の略平板状に形成されたベース部４０とベース部４０から略後方に突出された取付部４１とを有している。尚、取付部４１は左右方向に離隔して複数が設けられていてもよい。
【０１１１】  ベース部４０は前面の一部が入光面４０ａとして形成されている。尚、ベース部４０は平板状に形成されていてもよく、また、左右方向における中間部が前方又は後方に凸になるように緩やかに湾曲されていてもよい。
【０１１２】  取付部４１は、例えば、後方へ行くに従って上下の幅が小さくなる形状に形成され、湾曲方向が左右方向における一方になるように緩やかに湾曲されている。取付部４１は後端が前端より側方に位置されるように稍傾斜されている。取付部４１は、左右方向（厚み方向）における一方の面が取付面４１ａとして形成され、左右方向における他方の面が出光面４１ｂとして形成されている。
【０１１３】  取付部４１は外面のうち出光面４１ｂ以外の面が、取付部４１の内部を透過される光を内面反射（全反射）させる反射面４１ｃとして形成されている。反射面４１ｃには、例えば、内面反射させるためのステップ形状が形成されていてもよい。
【０１１４】  取付部４１の取付面４１ａには有機ＥＬパネル４２が、例えば、粘着等によって取り付けられている。
【０１１５】  有機ＥＬパネル４２は取付面４１ａの大きさより一回り大きくされ、取付部４１に取り付けられた状態において外周部の一部が取付面４１ａから突出される。
【０１１６】  有機ＥＬパネル４２は取付面４１ａに取り付けられる面と反対側の面が光出射面４２ａとして形成されている。有機ＥＬパネル４２は湾曲方向が左右方向における一方になるように緩やかに湾曲された状態で取付部４１に取り付けられている。
【０１１７】  取付体３９の前方には入光面４０ａに対向する位置に光源４３が配置されている。光源４３は、例えば、図示しない配置部材に配置されている。光源４３としては、例えば、発光ダイオード（ＬＥＤ: Light Emitting Diode）が用いられている。
【０１１８】  上記の構成において、有機ＥＬパネル４２から出射された光は、カバーを透過されて主に後方へ向けて照射される。また、光源４３から出射された光は、入光面４０ａからベース部４０に入射され反射面４１ｃで内面反射されて取付部４１を導かれ、出光面４０ｂから出光されカバーを透過されて後方へ向けて照射される。
【０１１９】  尚、有機ＥＬパネル４２の光出射面４２ａと取付部４１の出光面４１ｂとから出射された光を後方へ向けて照射するために、例えば、ベース部４０の後面に反射処理等を施し、光出射面４２ａと出光面４１ｂから出射された光の一部をベース部４０の後面で反射させるようにすることも可能である。
【０１２０】  上記のように光源４３から出射された光が取付体３９を透過され、光源４３から出射された光と有機ＥＬパネル４２から出射された光とが外部へ向けて照射されるため、有機ＥＬパネル４２から出射された光と光源４３から出射された光とが照明光として照射され、輝度の向上を図ることができると共に設計の自由度が高まり必要な配光を確保することができる。
【０１２１】  また、取付体３９の一部である取付部４１が光源４３から出射された光を導く導光体として機能するため、光源４３から出射された光が取付体３９の一部で導かれて出光され、取付体３９の機能性の向上による部品点数の削減及び設計の自由度の向上を図ることができる。
【０１２２】  さらに、取付部４１の一方の面は有機ＥＬパネル４２が取り付けられる取付面４１ａとして形成され、取付部４１における取付面４１ａと反対側の他方の面が光源４３から出射された光を出光する出光面４１ｂとして形成されている。
【０１２３】  従って、取付部４１に有機ＥＬパネル４２が取り付けられると共に取付部４１の出光面４１ｂから光が出光されるため、取付部４１の両側へ向けて光を出射させることが可能になり、設計の自由度の向上を図ることができると共に光の十分な照射範囲を確保することができる。
【０１２４】  また、取付部４１の両面から光が出射されるように認識されるため、視認者に立体的な発光状態を認識させることが可能になり、意匠性の向上を図ることもできる。
【０１２５】  さらに、有機ＥＬパネル４２が湾曲された状態で取付体３９に取り付けられているため、湾曲された有機ＥＬパネル４２から光が出射され、光の十分な照射範囲を確保した上で必要な配光を確保することができる。
【０１２６】  尚、取付部４１は取付面４１ａも反射面４１ｃの一部として形成されており、取付面４１ａに光を内面反射させるためのステップ形状が形成されていてもよいが、取付部４１に取り付けられる有機ＥＬパネル４２の光出射面４２ａと反対側の面を反射面として形成し、取付部４１に入射された光を内面反射させる構成にしてもよい。
【０１２７】  ＜第２の実施の形態に係る車輌用灯具＞  以下に、第２の実施の形態に係る車輌用灯具１０１について説明する（図１、図１４乃至図１８参照）。
【０１２８】  尚、車輌用灯具には光源として有機ＥＬパネルが用いられたものがある。有機ＥＬパネルは面発光する自発光型のパネルであり、近年、有機ＥＬパネルに関する技術が向上し、湾曲可能な有機ＥＬパネルの開発が進展している。
【０１２９】  このような湾曲可能な有機ＥＬパネルを、例えば、車輌用灯具に用いる場合には、車体の形状に応じて有機ＥＬパネルを変形させることが可能になり、車輌用灯具の小型化や設計の自由度の向上を図ることができる。
【０１３０】  ところで、光源として有機ＥＬパネルを用いる車輌用灯具においては、有機ＥＬパネルが面発光でありランバーシアン光が出射されるため、出射された光の照射範囲は広いが、照射方向によっては十分な照度が得られず必要な配光が確保されないおそれがある。
【０１３１】  そこで、以下に示す第２の実施の形態、第３の実施の形態及び第４の実施の形態に係る車輌用灯具においては、光の十分な照射範囲を確保した上で必要な配光を確保することを目的とする。
【０１３２】  車輌用灯具１０１、１０１は、例えば、車体２００の後端部における左右両端部にそれぞれ取り付けられて配置されている（図１参照）。車輌用灯具１０１は、例えば、車体２００の本体部２０１等の非可動部に配置された第１の灯具部１０２とトランクリッド２０２等の可動部に配置された第２の灯具部１０３とによって構成されている。
【０１３３】  尚、本発明においては、第１の灯具部１０２のみによって車輌用灯具が構成されていてもよく、また、第２の灯具部１０３のみによって車輌用灯具が構成されていてもよい。
【０１３４】  上記のように、車輌用灯具１０１は本体部２０１に第１の灯具部１０２が配置されトランクリッド２０２に第２の灯具部１０３が配置されており、トランクリッド２０２が閉じられた状態において第１の灯具部１０２と第２の灯具部１０３が隣接して位置される。
【０１３５】  尚、上記には、第１の灯具部１０２が本体部２０１等の非可動部に配置され、第２の灯具部１０３がトランクリッド２０２等の可動部に配置された例を示したが、逆に、第１の灯具部１０２がトランクリッド２０２等の可動部に配置され、第２の灯具部１０３が本体部２０１等の非可動部に配置されていてもよい。また、第１の灯具部１０２と第２の灯具部１０３の双方が可動部に配置されていてもよく、第１の灯具部１０２と第２の灯具部１０３の双方が非可動部に配置されていてもよい。
【０１３６】  第１の灯具部１０２は後方から側方（左方又は右方）に亘って開口されたランプハウジング（第１のランプハウジング）１０４とランプハウジング１０４の開口を閉塞するカバー（第１のカバー）１０５とを備えている（図１４参照）。ランプハウジング１０４とカバー１０５によって灯具外筐１０６が構成され、灯具外筐１０６の内部空間が灯室１０６ａとして形成されている。
【０１３７】  灯室１０６ａには取付体１０７が配置され、取付体１０７は灯室１０６ａにおいて、例えば、ランプハウジング１０４に取り付けられている。尚、取付体１０７はランプハウジング１０４と一体に形成されていてもよい。取付体１０７は前側に位置されたベース部１０８とベース部１０８からそれぞれ後斜め上方に突出された取付部１０９、１０９、１０９とを有している（図１５乃至図１７参照）。
【０１３８】  取付部１０９は延設部１０９ａと立上部１０９ｂが左右方向において連続されている。
【０１３９】  延設部１０９ａは略左右に延び略上下方向を向く板状にされている。延設部１０９ａは左右方向において下方に緩やかに湾曲されている。延設部１０９ａ、１０９ａ、１０９ａは上下に離隔して位置され、左右方向における長さは最も上側の延設部１０９ａが最も短く最も下側の延設部１０９ａが最も長くされている。
【０１４０】  立上部１０９ｂは左右方向において取付部１０９のうち車輌の外方側の端部であり、延設部１０９ａに連続する板状にされ、延設部１０９ａから離隔するに従って上方に変位する形状に形成されている。立上部１０９ｂは下端部が下斜め側方（外方）又は下斜め後方に凸になるように湾曲されている。立上部１０９ｂは延設部１０９ａの下面に連続する面が延設部１０９ａから離隔するに従って後方を向くように捻れた形状に形成されている。立上部１０９ｂ、１０９ｂ、１０９ｂは厚み方向において離隔する状態で位置され、上下方向における長さは最も内側の立上部１０９ｂが最も短く最も外側の立上部１０９ｂが最も長くされている。
【０１４１】  取付体１０７は延設部１０９ａの下面と立上部１０９ｂにおける延設部１０９ａの下面に連続する面とが取付面１１０として形成されている。
【０１４２】  取付体１０７、１０７、１０７の取付面１１０、１１０、１１０にはそれぞれ第１の有機ＥＬパネル（有機エレクトロルミネッセンスパネル）１１１、１１１、１１１が、例えば、粘着等によって取り付けられている。
【０１４３】  第１の有機ＥＬパネル１１１、１１１、１１１はそれぞれ取付面１１０、１１０、１１０の大きさより一回り大きくされ、取付部１０９、１０９、１０９に取り付けられた状態において外周部の一部がそれぞれ取付面１１０、１１０、１１０から突出される。
【０１４４】  第１の有機ＥＬパネル１１１は取付面１１０に取り付けられる面と反対側の面が光出射面１１２として形成されている。第１の有機ＥＬパネル１１１は第１の部分１１１ａと第２の部分１１１ｂから成り、第１の部分１１１ａが延設部１０９ａに取り付けられ第２の部分１１１ｂが立上部１０９ｂに取り付けられている。
【０１４５】  第１の部分１１１ａは略左右に延びる形状に形成されている。第１の部分１１１ａは左右方向において下方に緩やかに湾曲されている。従って、第１の部分１１１ａの光出射面１１２は下方に凸の曲面に形成され、湾曲方向が下方にされている。
【０１４６】  第２の部分１１１ｂは第１の部分１１１ａに対して上方に屈曲され、左右方向において第１の部分１１１ａの車輌の外方側の端部に連続され、第１の部分１１１ａから離隔するに従って上方に変位する形状に形成されている。第２の部分１１１ｂは下端部が下斜め側方（外方）又は下斜め後方に凸になるように湾曲されている。第２の部分１１１ｂは光出射面１１２が第１の部分１１１ａから離隔するに従って後方を向くように捻れた形状に形成されている。従って、第２の部分１１１ｂの下端部における光出射面１１２は下斜め側方に凸の曲面に形成され、湾曲方向が下斜め側方又は下斜め後方にされている。
【０１４７】  上記のように、第１の部分１１１ａと第２の部分１１１ｂの下端部とはそれぞれ所定の方向に湾曲されており、第１の部分１１１ａと第２の部分１１１ｂの下端部とは何れも湾曲部として設けられている。
【０１４８】  第１の有機ＥＬパネル１１１において、第１の部分１１１ａの光出射面１１２は湾曲方向が下方になる状態で湾曲され、第２の部分１１１ｂの下端部における光出射面１１２は湾曲方向が下斜め側方又は下斜め後方になる状態で湾曲され、第１の部分１１１ａの光出射面１１２と第２の部分１１１ｂにおける下端部の光出射面１１２とが異なる方向に湾曲されている。
【０１４９】  上記のように構成された第１の灯具部１０２において、第１の有機ＥＬパネル１１１、１１１、１１１から出射された光は、第１の部分１１１ａ、１１１ａ、１１１ａからカバー１０５を透過されて主に後方へ向けて照射され、第２の部分１１１ｂ、１１１ｂ、１１１ｂからカバー１０５を透過されて主に後方から側方へ亘る方向へ向けて照射される。
【０１５０】  尚、第１の灯具部１０２においては、ランプハウジング１０４の内面や取付体１０７の各面の少なくとも一部が反射面として形成されていてもよく、この場合には第１の有機ＥＬパネル１１１、１１１、１１１から出射された光の一部がこれらの反射面で反射されて主に後方や側方へ向けて照射される。
【０１５１】  第２の灯具部１０３は後方に開口されたランプハウジング（第２のランプハウジング）１１４とランプハウジング１１４の開口を閉塞するカバー（第２のカバー）１１５とを備えている（図１４参照）。ランプハウジング１１４とカバー１１５によって灯具外筐１１６が構成され、灯具外筐１１６の内部空間が灯室１１６ａとして形成されている。
【０１５２】  灯室１１６ａには取付体１１７が配置され、取付体１１７は灯室１１６ａにおいて、例えば、ランプハウジング１１４に取り付けられている。尚、取付体１１７はランプハウジング１１４と一体に形成されていてもよい。取付体１１７は前側に位置されたベース部１１８とベース部１１８からそれぞれ後斜め上方に突出された取付部１１９、１１９、１１９とを有している（図１５、図１６及び図１８参照）。
【０１５３】  取付部１１９は略左右に延び略上下方向を向く板状にされている。取付部１１９、１１９、１１９は上下に離隔して位置され、上下方向に僅かに捻れた形状に形成されている。
【０１５４】  取付体１１７は取付部１１９、１１９、１１９の下面が取付面１２０、１２０、１２０として形成されている。
【０１５５】  取付体１１７、１１７、１１７の取付面１２０、１２０、１２０にはそれぞれ第２の有機ＥＬパネル（有機エレクトロルミネッセンスパネル）１２１、１２１、１２１が、例えば、粘着等によって取り付けられている。
【０１５６】  第２の有機ＥＬパネル１２１、１２１、１２１はそれぞれ取付面１２０、１２０、１２０の大きさより一回り大きくされ、取付部１１９、１１９、１１９に取り付けられた状態において外周部の一部がそれぞれ取付面１２０、１２０、１２０から突出される。
【０１５７】  第２の有機ＥＬパネル１２１は取付面１２０に取り付けられる面と反対側の面が光出射面１１２として形成されている。第２の有機ＥＬパネル１２１は上下方向に僅かに捻れた形状に形成されている。従って、第２の有機ＥＬパネル１２１において、左右方向において車輌の内側の略半部は光出射面１１２が上方を向く方向へ僅かに変形された第１の部分１２１ａとされ、左右方向において車輌の外側の略半部は光出射面１１２が下方を向く方向へ僅かに変形された第２の部分１２１ｂとされている。
【０１５８】  上記のように構成された第２の灯具部１０３において、第２の有機ＥＬパネル１２１、１２１、１２１から出射された光は、カバー１１５を透過されて主に後方へ向けて照射される。
【０１５９】  尚、第２の灯具部１０３においては、ランプハウジング１１４の内面や取付体１１７の各面の少なくとも一部が反射面として形成されていてもよく、この場合には第２の有機ＥＬパネル１２１、１２１、１２１から出射された光の一部がこれらの反射面で反射されて主に後方へ向けて照射される。
【０１６０】  以上に記載した通り、第１の灯具部１０２においては、第１の部分１１１ａと第２の部分１１１ｂの下端部とが湾曲部として設けられ、第１の部分１１１ａの光出射面１１２と第２の部分１１１ｂの下端部における光出射面１１２との湾曲方向が異なるようにされている。
【０１６１】  従って、第１の部分１１１ａ、１１１ａ、１１１ａと第２の部分１１１ｂ、１１１ｂ、１１１ｂから出射される光の照射範囲が異なる方向になると共に照射方向が異なる方向になるため、第１の有機ＥＬパネル１１１、１１１、１１１から出射される光の十分な照射範囲を確保した上で必要な配光を確保することができる。
【０１６２】  尚、上記には、第１の灯具部１０２において、光出射面１１２の湾曲方向が異なる部分として、第１の部分１１１ａと第２の部分１１１ｂの二つの部分が設けられた例を示したが、第１の灯具部１０２において光出射面の湾曲方向が異なる三つ以上の部分が設けられていてもよい。また、車輌用灯具１０１においては、第１の灯具部１０２に代えて第２の灯具部１０３に光出射面の湾曲方向が異なる複数の部分が設けられていてもよく、また、第１の灯具部１０２と第２の灯具部１０３の双方に光出射面の湾曲方向が異なる複数の部分が設けられていてもよい。
【０１６３】  また、第１の有機ＥＬパネル１１１と第２の有機ＥＬパネル１２１がそれぞれ捻れた形状に形成されているため、第１の有機ＥＬパネル１１１と第２の有機ＥＬパネル１２１の捻られた各部からそれぞれ光が異なる方向へ出射される。従って、第１の灯具部１０２と第２の灯具部１０３において光の照射範囲を広げることができると共に必要な配光を容易に確保することができる。
【０１６４】  さらに、複数の第１の有機ＥＬパネル１１１、１１１、１１１にそれぞれ第１の部分１１１ａ、１１１ａ、１１１ａと第２の部分１１１ｂ、１１１ｂ、１１１ｂが設けられているため、第１の部分１１１ａ、１１１ａ、１１１ａと第２の部分１１１ｂ、１１１ｂ、１１１ｂをそれぞれ有する複数の第１の有機ＥＬパネル１１１、１１１、１１１と第２の有機ＥＬパネル１２１、１２１、１２１から光が出射され、設計の自由度の向上及び配光制御の容易化を図ることができる。
【０１６５】  ＜第３の実施の形態に係る車輌用灯具＞  次に、第３の実施の形態に係る車輌用灯具について説明する（図１９乃至図２２参照）。
【０１６６】  尚、第３の実施の形態に係る車輌用灯具は、第２の実施の形態に係る車輌用灯具１０１と同様に、第１の灯具部と第２の灯具部によって構成され、本体部２０１等の非可動部に第１の灯具部が配置されトランクリッド２０２等の可動部に第２の灯具部が配置されており、トランクリッド２０２が閉じられた状態において第１の灯具部と第２の灯具部が隣接して位置される。
【０１６７】  尚、第３の実施の形態に係る車輌用灯具においても、第２の実施の形態に係る車輌用灯具１０１と同様に、第１の灯具部が可動部に配置され、第２の灯具部が非可動部に配置されていてもよい。また、第１の灯具部と第２の灯具部の双方が可動部に配置されていてもよく、第１の灯具部と第２の灯具部の双方が非可動部に配置されていてもよい。
【０１６８】  さらに、第３の実施の形態においても、第１の灯具部のみによって車輌用灯具が構成されていてもよく、また、第２の灯具部のみによって車輌用灯具が構成されていてもよい。
【０１６９】  以下の第３の実施の形態に係る車輌用灯具においては、灯室に配置される構成についてのみ詳細に説明する。
【０１７０】  第３の実施の形態に係る第１の灯具部において、灯室には取付体１３１が配置され、取付体１３１は灯室において、例えば、ランプハウジングに取り付けられている。取付体１３１はベース部１３２と第１の取付部１３３と第２の取付部１３５を有している（図１９乃至図２１参照）。ベース部１３２は前後方向を向く垂直部１３２ａと垂直部１３２ａの下端部から後方に突出された水平部１３２ｂとを有している。
【０１７１】  第１の取付部１３３は垂直部１３２ａの後面に結合され、略左右方向に延びる延設部１３３ａと延設部１３３ａにおける車輌の外側の端部から斜め上方に突出された立上部１３３ｂとから成る。第１の取付部１３３は後面が取付面１３４として形成されている。
【０１７２】  第２の取付部１３５は延設部１３３ａの上面に結合され、横長の形状に形成されている。第２の取付部１３５は左右方向において車輌の外側へ行くに従って先細りの形状に形成され、上面が取付面１３５ａとして形成されている。取付面１３５ａは前方へ行くに従って上方へ変位するように傾斜され、後斜め上方に凸になるように湾曲されている。
【０１７３】  取付体１３１における第１の取付部１３３の取付面１３４には第１の有機ＥＬパネル（有機エレクトロルミネッセンスパネル）１３６が、例えば、粘着等によって取り付けられている。
【０１７４】  第１の有機ＥＬパネル１３６は取付面１３４の大きさより一回り大きくされ、第１の取付部１３３に取り付けられた状態において外周部の少なくとも一部が取付面１３４から外側に突出されている。
【０１７５】  第１の有機ＥＬパネル１３６は取付面１３４に取り付けられる面と反対側の面（後面）が光出射面１３７として形成されている。第１の有機ＥＬパネル１３６は第１の部分１３６ａと第２の部分１３６ｂから成り、第１の部分１３６ａが延設部１３３ａに取り付けられ第２の部分１３６ｂが立上部１３３ｂに取り付けられている。
【０１７６】  第１の部分１３６ａは上下方向における中間部が後方に凸になるように湾曲されている。従って、第１の部分１３６ａの光出射面１３７は後方に凸の曲面に形成され、湾曲方向が後方にされている。
【０１７７】  第２の部分１３６ｂは第１の部分１３６ａに対して上方に屈曲され、左右方向において第１の部分１３６ａの車輌の外方側の端部に連続され、第１の部分１３６ａから離隔するに従って上方に変位する形状に形成されている。
【０１７８】  取付体１３１における第２の取付部１３５の取付面１３５ａには第２の有機ＥＬパネル（有機エレクトロルミネッセンスパネル）１３８が、例えば、粘着等によって取り付けられている。
【０１７９】  第２の有機ＥＬパネル１３８は取付面１３５ａの大きさより一回り大きくされ、第２の取付部１３５に取り付けられた状態において外周部の少なくとも一部が取付面１３５ａから外側に突出されている。第２の有機ＥＬパネル１３８は前方へ行くに従って下方に変位するように傾斜され、前後方向における中間部が後斜め上方に凸になるように湾曲されている。
【０１８０】  第２の有機ＥＬパネル１３８は第２の取付部１３５に取り付けられる面と反対側の面（上面）が光出射面１３９として形成されている。第２の有機ＥＬパネル１３８の光出射面１３９は後斜め上方に凸の曲面に形成され、湾曲方向が後斜め上方にされている。
【０１８１】  上記のように構成された第３の実施の形態に係る第１の灯具部において、第１の有機ＥＬパネル１３６及び第２の有機ＥＬパネル１３８から出射された光は、カバー１０５を透過されて主に後方へ向けて照射される。
【０１８２】  尚、第１の灯具部においては、ランプハウジングの内面や取付体１３１の各面の少なくとも一部が反射面として形成されていてもよく、この場合には第１の有機ＥＬパネル１３６及び第２の有機ＥＬパネル１３８から出射された光の一部がこれらの反射面で反射されて主に後方へ向けて照射される。
【０１８３】  第３の実施の形態に係る第２の灯具部において、灯室には取付体１４０が配置され、取付体１４０は灯室において、例えば、ランプハウジングに取り付けられている。尚、取付体１４０はランプハウジングと一体に形成されていてもよい。取付体１４０はベース部１４１と取付部１４２を有している。
【０１８４】  ベース部１４１は前後方向を向く垂直部１４１ａと垂直部１４１ａの下端部から後方に突出された水平部１４１ｂとを有している（図１９、図２０及び図２２参照）。
【０１８５】  取付部１４２は垂直部１４１ａの後面に結合され、略左右に延びる延設部１４２ａと延設部１４２ａの後縁から後斜め下方に突出された突面部１４２ｂとを有している。突面部１４２ｂは上下方向に僅かに捻れた形状に形成されている。
【０１８６】  取付体１４０は突面部１４２ｂの斜め上方を向く面が取付面１４３として形成されている。
【０１８７】  取付体１４０の取付面１４３には第３の有機ＥＬパネル（有機エレクトロルミネッセンスパネル）１４４が、例えば、粘着等によって取り付けられている。
【０１８８】  第３の有機ＥＬパネル１４４は取付面１４３の大きさより一回り大きくされ、取付部１４２に取り付けられた状態において外周部の少なくとも一部がそれぞれ取付面１４３から外側に突出されている。第３の有機ＥＬパネル１４４は前後方向における中間部が上方に凸になるように緩やかに湾曲されている。
【０１８９】  第３の有機ＥＬパネル１４４は取付面１４３に取り付けられる面と反対側の面が光出射面１４５として形成されている。光出射面１４５は後斜め上方に凸の曲面に形成され、湾曲方向が後斜め上方にされている。
【０１９０】  第３の有機ＥＬパネル１４４は上下方向に僅かに捻れた形状に形成されている。第３の有機ＥＬパネル１４４において、左右方向において車輌の内側の略半部は取付面１４３が下方を向く方向へ僅かに変形された第１の湾曲部１４４ａとされ、左右方向において車輌の外側の略半部は取付面１４３が上方を向く方向へ僅かに変形された第２の湾曲部１４４ｂとされている。
【０１９１】  従って、第１の湾曲部１４４ａの光出射面１４５は湾曲方向が後斜め上方において稍下方にされ、第２の湾曲部１４４ｂの光出射面１４５は湾曲方向が後斜め上方において稍上方にされ、第１の湾曲部１４４ａの光出射面１４５と第２の湾曲部１４４ｂの光出射面１４５とは湾曲方向が異なる。
【０１９２】  また、上記したように、第１の有機ＥＬパネル１３６の第１の部分１３６ａにおける光出射面１３７は湾曲方向が後方にされ、第２の有機ＥＬパネル１３８の光出射面１３９は湾曲方向が後斜め上方にされている。従って、第１の部分１３６ａの光出射面１３７と第１の湾曲部１４４ａの光出射面１４５とは湾曲方向が異なり、第１の部分１３６ａの光出射面１３７と第２の湾曲部１４４ｂの光出射面１４５とは湾曲方向が異なり、第２の部分１３６ｂの光出射面１３７と第１の湾曲部１４４ａの光出射面１４５とは湾曲方向が異なり、第２の部分１３６ｂの光出射面１３７と第２の湾曲部１４４ｂの光出射面１４５とは湾曲方向が異なる。
【０１９３】  上記のように構成された第３の実施の形態に係る第２の灯具部において、第３の有機ＥＬパネル１４４から出射された光は、カバーを透過されて主に後方へ向けて照射される。
【０１９４】  尚、第３の実施の形態に係る第２の灯具部においては、ランプハウジングの内面や取付体１４０の各面の少なくとも一部が反射面として形成されていてもよく、この場合には第３の有機ＥＬパネル１４４から出射された光の一部がこれらの反射面で反射されて主に後方へ向けて照射される。
【０１９５】  上記したように、第３の実施の形態に係る第２の灯具部においては、第１の湾曲部１４４ａと第２の湾曲部１４４ｂが設けられ、第１の湾曲部１４４ａと第２の湾曲部１４４ｂの湾曲方向が異なるようにされている。
【０１９６】  従って、第１の湾曲部１４４ａと第２の湾曲部１４４ｂから出射された光の照射範囲が異なる方向になると共に照射方向が異なる方向になるため、第３の有機ＥＬパネル１４４から出射された光の十分な照射範囲を確保した上で必要な配光を確保することができる。
【０１９７】  尚、上記には、湾曲方向が異なる部分として、第１の湾曲部１４４ａと第２の湾曲部１４４ｂの二つの部分が設けられた例を示したが、第２の灯具部において湾曲方向が異なる三つ以上の部分が設けられていてもよい。また、第３の実施の形態に係る車輌用灯具においては、第２の灯具部に代えて第１の灯具部に湾曲方向が異なる複数の部分が設けられていてもよく、また、第１の灯具部と第２の灯具部の双方に湾曲方向が異なる複数の部分が設けられていてもよい。
【０１９８】  また、第３の有機ＥＬパネル１４４が捻れた形状に形成されているため、第３の有機ＥＬパネル１４４の捻られた各部から光が異なる方向へ出射される。従って、第２の灯具部において光の照射範囲を広げることができると共に必要な配光を容易に確保することができる。
【０１９９】  さらに、第１の灯具部と第２の灯具部において、第１の部分１３６ａの光出射面１３７と第１の湾曲部１４４ａの光出射面１４５とは湾曲方向が異なり、第１の部分１３６ａの光出射面１３７と第２の湾曲部１４４ｂの光出射面１４５とは湾曲方向が異なり、第２の部分１３６ｂの光出射面１３７と第１の湾曲部１４４ａの光出射面１４５とは湾曲方向が異なり、第２の部分１３６ｂの光出射面１３７と第２の湾曲部１４４ｂの光出射面１４５とは湾曲方向が異なる。
【０２００】  従って、第１の灯具部と第２の灯具部において、湾曲部における光出射面の湾曲方向が異なり、湾曲方向が異なる部分から出射された光の照射範囲が異なる方向になると共に照射方向が異なる方向になるため、車輌用灯具１０１における光の十分な照射範囲を確保した上で必要な配光を確保することができる。
【０２０１】  ＜第４の実施の形態に係る車輌用灯具＞  次に、第４の実施の形態に係る車輌用灯具について説明する（図２３乃至図２６参照）。
【０２０２】  尚、第４の実施の形態に係る車輌用灯具は、第２の実施の形態に係る車輌用灯具１０１と同様に、第１の灯具部と第２の灯具部によって構成され、本体部２０１等の非可動部に第１の灯具部が配置されトランクリッド２０２等の可動部に第２の灯具部が配置されており、トランクリッド２０２が閉じられた状態において第１の灯具部と第２の灯具部が隣接して位置される。
【０２０３】  尚、第４の実施の形態に係る車輌用灯具においても、第２の実施の形態に係る車輌用灯具１０１と同様に、第１の灯具部が可動部に配置され、第２の灯具部が非可動部に配置されていてもよい。また、第１の灯具部と第２の灯具部の双方が可動部に配置されていてもよく、第１の灯具部と第２の灯具部の双方が非可動部に配置されていてもよい。
【０２０４】  さらに、第４の実施の形態においても、第１の灯具部のみによって車輌用灯具が構成されていてもよく、また、第２の灯具部のみによって車輌用灯具が構成されていてもよい。
【０２０５】  以下の第４の実施の形態に係る車輌用灯具においては、灯室に配置される構成についてのみ詳細に説明する。
【０２０６】  第４の実施の形態に係る第１の灯具部において、灯室には取付体１５１が配置され、取付体１５１は灯室において、例えば、ランプハウジングに取り付けられている。尚、取付体１５１はランプハウジングと一体に形成されていてもよい。
【０２０７】  取付体１５１はベース部１５２と第１の取付部１５３と第２の取付部１５４を有している（図２３乃至図２５参照）。ベース部１５２は前後方向を向く垂直部１５２ａと垂直部１５２ａの下端部から後方に突出された水平部１５２ｂとを有している。
【０２０８】  第１の取付部１５３は垂直部１５２ａの後面に結合され、略前後方向に延びる延設部１５３ａと延設部１５３ａから上方に突出された立上部１５３ｂとから成る。延設部１５３ａは前後方向における中間部が下方に凸になるように湾曲され、前端部が垂直部１５２ａの下端部に結合されている。第１の取付部１５３は延設部１５３ａの下面が取付面１５５として形成されている。
【０２０９】  第２の取付部１５４は垂直部１５２ａの後面に結合され、略前後方向に延びる延設部１５４ａと延設部１５４ａから下方に突出された立下部１５４ｂとから成る。延設部１５４ａは前後方向における中間部が下方に凸になるように湾曲され、前端部が垂直部１５２ａの上端部に結合されている。第２の取付部１５４は第１の取付部１５３の真上に位置されている。第２の取付部１５４は延設部１５４ａの上面が取付面１５６として形成されている。
【０２１０】  取付体１５１における第１の取付部１５３の取付面１５５には第１の有機ＥＬパネル（有機エレクトロルミネッセンスパネル）１５７が、例えば、粘着等によって取り付けられている。
【０２１１】  第１の有機ＥＬパネル１５７は取付面１５５の大きさより一回り大きくされ、第１の取付部１５３に取り付けられた状態において外周部の少なくとも一部が取付面１５５から外側に突出されている。
【０２１２】  第１の有機ＥＬパネル１５７は取付面１５５に取り付けられる面と反対側の面（下面）が光出射面１５８として形成されている。第１の有機ＥＬパネル１５７は前後方向における中間部が下方に凸になるように湾曲されている。従って、第１の有機ＥＬパネル１５７の光出射面１５８は下方に凸の曲面に形成され、湾曲方向が下方にされている。
【０２１３】  第１の有機ＥＬパネル１５７は左右方向に僅かに捻れた形状に形成されている。従って、第１の有機ＥＬパネル１５７は、略前半部が左右方向における一方に稍傾斜された第１の湾曲部１５７ａとされ、略後半部が左右方向における他方に稍傾斜された第２の湾曲部１５７ｂとされている。
【０２１４】  第１の湾曲部１５７ａの光出射面１５８は湾曲方向が下方において左右方向の一方に稍傾斜された方向にされ、第２の湾曲部１５７ｂの光出射面１５８は湾曲方向が下方において左右方向の他方に稍傾斜された方向にされ、第１の湾曲部１５７ａの光出射面１５８と第２の湾曲部１５７ｂの光出射面１５８とは湾曲方向が異なる。
【０２１５】  取付体１５１における第２の取付部１５４の取付面１５６には第２の有機ＥＬパネル（有機エレクトロルミネッセンスパネル）１５９が、例えば、粘着等によって取り付けられている。
【０２１６】  第２の有機ＥＬパネル１５９は取付面１５６の大きさより一回り大きくされ、第２の取付部１５４に取り付けられた状態において外周部の少なくとも一部が取付面１５６から外側に突出されている。第２の有機ＥＬパネル１５９は前後方向における中間部が下方に凸になるように湾曲されている。
【０２１７】  第２の有機ＥＬパネル１５９は取付面１５６に取り付けられる面と反対側の面（上面）が光出射面１６０として形成されている。従って、光出射面１６０は上方に凹の曲面に形成され、湾曲方向が下方にされている。
【０２１８】  上記のように構成された第４の実施の形態に係る第１の灯具部において、第１の有機ＥＬパネル１５７及び第２の有機ＥＬパネル１５９から出射された光は、カバーを透過されて主に後方へ向けて照射される。
【０２１９】  尚、第１の灯具部においては、ランプハウジングの内面や取付体１５１の各面の少なくとも一部が反射面として形成されていてもよく、この場合には第１の有機ＥＬパネル１５７及び第２の有機ＥＬパネル１５９から出射された光の一部がこれらの反射面で反射されて主に後方へ向けて照射される。
【０２２０】  第４の実施の形態に係る第２の灯具部において、灯室には取付体１６１が配置され、取付体１６１は灯室において、例えば、ランプハウジングに取り付けられている。尚、取付体１６１はランプハウジングと一体に形成されていてもよい。
【０２２１】  取付体１６１はベース部１６２と取付部６３、６３、６３を有している（図２３、図２４及び図２６参照）。ベース部１６２は前後方向を向く垂直部１６２ａと垂直部１６２ａの下端部から後方に突出された水平部１６２ｂとを有している。
【０２２２】  取付部６３、６３、６３は左右に離隔して位置されている。取付部６３は垂直部１６２ａの後面に結合され、略前後方向に延びる延設部６３ａと延設部６３ａから上方に突出された立上部６３ｂとから成る。延設部６３ａは前後方向における中間部が下方に凸になるように湾曲され、前端部が垂直部１６２ａに結合されている。取付部６３は延設部６３ａの下面が取付面１６４として形成されている。
【０２２３】  取付体１６１における取付部６３、６３、６３の取付面１６４、１６４、１６４にはそれぞれ第３の有機ＥＬパネル（有機エレクトロルミネッセンスパネル）１６５、１６５、１６５が、例えば、粘着等によって取り付けられている。
【０２２４】  第３の有機ＥＬパネル１６５は取付面１６４の大きさより一回り大きくされ、取付部６３に取り付けられた状態において外周部の少なくとも一部が取付面１６４から外側に突出されている。
【０２２５】  第３の有機ＥＬパネル１６５は取付面１６４に取り付けられる面と反対側の面（下面）が光出射面１６６として形成されている。第３の有機ＥＬパネル１６５は前後方向における中間部が下方に凸になるように湾曲されている。従って、第３の有機ＥＬパネル１６５の光出射面１６６は下方に凸の曲面に形成され、湾曲方向が下方にされている。
【０２２６】  第３の有機ＥＬパネル１６５は左右方向に僅かに捻れた形状に形成されている。従って、第３の有機ＥＬパネル１６５は、略前半部が左右方向における一方に稍傾斜された第１の湾曲部１６５ａとされ、略後半部が左右方向における他方に稍傾斜された第２の湾曲部１６５ｂとされている。
【０２２７】  第１の湾曲部１６５ａの光出射面１６６は湾曲方向が下方において左右方向の一方に稍傾斜された方向にされ、第２の湾曲部１６５ｂの光出射面１６６は湾曲方向が下方において左右方向の他方に稍傾斜された方向にされ、第１の湾曲部１６５ａの光出射面１６６と第２の湾曲部１６５ｂの光出射面１６６とは湾曲方向が異なる。
【０２２８】  上記のように構成された第４の実施の形態に係る第２の灯具部において、第３の有機ＥＬパネル１６５、１６５、１６５から出射された光は、カバーを透過されて主に後方へ向けて照射される。
【０２２９】  尚、第２の灯具部においては、ランプハウジングの内面や取付体１６１の各面の少なくとも一部が反射面として形成されていてもよく、この場合には第３の有機ＥＬパネル１６５、１６５、１６５から出射された光の一部がこれらの反射面で反射されて主に後方へ向けて照射される。
【０２３０】  上記したように、第４の実施の形態に係る第１の灯具部においては、第１の湾曲部１５７ａと第２の湾曲部１５７ｂが設けられ、第１の湾曲部１５７ａと第２の湾曲部１５７ｂの湾曲方向が異なるようにされている。
【０２３１】  従って、第１の湾曲部１５７ａと第２の湾曲部１５７ｂから出射された光の照射範囲が異なる方向になると共に照射方向が異なる方向になるため、第１の有機ＥＬパネル１５７から出射された光の十分な照射範囲を確保した上で必要な配光を確保することができる。
【０２３２】  また、第４の実施の形態に係る第２の灯具部においては、第１の湾曲部１６５ａと第２の湾曲部１６５ｂが設けられ、第１の湾曲部１６５ａと第２の湾曲部１６５ｂの湾曲方向が異なるようにされている。
【０２３３】  従って、第１の湾曲部１６５ａと第２の湾曲部１６５ｂから出射された光の照射範囲が異なる方向になると共に照射方向が異なる方向になるため、第３の有機ＥＬパネル１６５から出射された光の十分な照射範囲を確保した上で必要な配光を確保することができる。
【０２３４】  尚、上記には、湾曲方向が異なる部分として、第１の湾曲部１５７ａと第２の湾曲部１５７ｂの二つの部分又は第１の湾曲部１６５ａと第２の湾曲部１６５ｂの二つの部分が設けられた例を示したが、第１の灯具部と第２の灯具部において湾曲方向が異なる三つ以上の部分がそれぞれ設けられていてもよい。
【０２３５】  また、第１の有機ＥＬパネル１５７が捻れた形状に形成されているため、第１の有機ＥＬパネル１５７の捻られた各部から光が異なる方向へ出射される。従って、第１の灯具部において光の照射範囲を広げることができると共に必要な配光を容易に確保することができる。
【０２３６】  さらに、第３の有機ＥＬパネル１６５が捻れた形状に形成されているため、第３の有機ＥＬパネル１６５の捻られた各部から光が異なる方向へ出射される。従って、第２の灯具部において光の照射範囲を広げることができると共に必要な配光を容易に確保することができる。
【０２３７】  また、第４の実施の形態に係る第１の灯具部においては、第１の有機ＥＬパネル１５７の光出射面１５８が凸の曲面に形成され、第２の有機ＥＬパネル１５９の光出射面１６０が凹の曲面に形成されている。
【０２３８】  従って、第１の有機ＥＬパネル１５７から出射される光の照射範囲及び照度と第２の有機ＥＬパネル１５９から出射される光の照射範囲及び照度とが異なるため、設計の自由度の向上が図られ必要な配光を容易に確保することができる。
【０２３９】  さらにまた、第１の灯具部と第２の灯具部において、第１の湾曲部１５７ａと第２の湾曲部１６５ｂの湾曲方向及び第２の湾曲部１５７ｂと第１の湾曲部１６５ａの湾曲方向が何れもそれぞれ異なる方向にされている。
【０２４０】  従って、第１の灯具部と第２の灯具部において、湾曲方向の異なる部分が設けられており、湾曲方向が異なる部分から出射された光の照射範囲が異なる方向になると共に照射方向が異なる方向になるため、光の十分な照射範囲を確保した上で必要な配光を確保することができる。
【０２４１】  ＜有機ＥＬパネルの湾曲状態の例＞  以下に、有機ＥＬパネルの湾曲状態の各例について説明する（図２７参照）。有機ＥＬパネル１７０（有機ＥＬパネル１１１、１２１、１３６、１３８、１４４、１５７、１５９、１６５）の湾曲状態には、以下のような各種の状態がある。
【０２４２】  有機ＥＬパネル１７０の湾曲状態としては、例えば、後下がりに傾斜された状態で光出射面１７１が凹の曲面に形成された状態（上段の左側の図参照）、後下がりに傾斜された状態で光出射面１７１が凸の曲面に形成された状態（上段の右側の図参照）がある。
【０２４３】  また、有機ＥＬパネル１７０の湾曲状態として、例えば、前下がりに傾斜された状態で光出射面１７１が凹の曲面に形成された状態（中段の左側の図参照）、前下がりに傾斜された状態で光出射面１７１が凸の曲面に形成された状態（中段の右側の図参照）がある。
【０２４４】  さらに、有機ＥＬパネル１７０の湾曲状態として、例えば、前後に傾斜されない状態で光出射面１７１が凹の曲面に形成された状態（下段の左側の図参照）、前後に傾斜されない状態で光出射面１７１が凸の曲面に形成された状態（下段の右側の図参照）がある。
【０２４５】  尚、図２７には、有機ＥＬパネル１７０が上下方向において湾曲された例を示したが、有機ＥＬパネル１７０は左右方向等の上下方向以外の方向において湾曲されてもよく、左右方向に傾斜された状態で湾曲されていてもよい。
【０２４６】  また、湾曲の程度が部分的に異なっていてもよく、例えば、上端部又は下端部の湾曲の程度が最も大きくされていてもよく、左端部又は右端部の湾曲の程度が最も大きくされていてもよく、上下方向における中間部又は左右方向における中間部の湾曲の程度が最も大きくされていてもよい。
【０２４７】  上記のような湾曲状態は、有機ＥＬパネル１７０から出射される光の照射方向や照射範囲や照度等を考慮して任意に設定することが可能である。
【符号の説明】
【０２４８】  １…車輌用灯具、４…ランプハウジング、５…カバー、７…取付体、１２…取付部、１２ａ…取付面、１３…第１の有機ＥＬパネル、１３ａ…光出射面、１４…ランプハウジング、１５…カバー、１７…取付体、１９…第１の取付部、１９ａ…取付面、２１…第２の取付部、２１ａ…取付面、２２…第２の有機ＥＬパネル、２２ａ…光出射面、２３…第３の有機ＥＬパネル、２３ａ…光出射面、７ａ…差込穴、２７…取付体、２８ｂ…出光面、２９…第１の取付部、２９ａ…取付面、３０…第２の取付部、３０ａ…取付面、３１…有機ＥＬパネル、３１ａ…光出射面、３２…光源、３５…光源、３８…光源、３９…取付体、４１…取付部、４１ａ…取付面、４１ｂ…出光面、４２…有機ＥＬパネル、４２ａ…光出射面、４３…光源、１０１…車輌用灯具、１０２…第１の灯具部、１０３…第２の灯具部、１０４…ランプハウジング、１０５…カバー、１０７…取付体、１１１…第１の有機ＥＬパネル、１１１ａ…第１の部分（湾曲部）、１１１ｂ…第２の部分（湾曲部）、１１２…光出射面、１１４…ランプハウジング、１１５…カバー、１１７…取付体、１２１…第２の有機ＥＬパネル、１２２…光出射面、１３１…取付体、１３６…第１の有機ＥＬパネル、１３６ａ…第１の部分（湾曲部）、１３７…光出射面、１３８…第２の有機ＥＬパネル、１３９…光出射面、１４０…取付体、１４４…第３の有機ＥＬパネル、１４４ａ…第１の湾曲部、１４４ｂ…第２の湾曲部、１４５…光出射面、１５１…取付体、１５７…第１の有機ＥＬパネル、１５７ａ…第１の湾曲部、１５７ｂ…第２の湾曲部、１５８…光出射面、１５９…第２の有機ＥＬパネル、１６０…光出射面、１６１…取付体、１６５…第３の有機ＥＬパネル、１６５ａ…第１の湾曲部、１６５ｂ…第２の湾曲部、１６６…光出射面
【図１】
2019167576.tif 000003
【図２】
2019167576.tif 000004
【図３】
2019167576.tif 000005
【図４】
2019167576.tif 000006
【図５】
2019167576.tif 000007
【図６】
2019167576.tif 000008
【図７】
2019167576.tif 000009
【図８】
2019167576.tif 000010
【図９】
2019167576.tif 000011
【図１０】
2019167576.tif 000012
【図１１】
2019167576.tif 000013
【図１２】
2019167576.tif 000014
【図１３】
2019167576.tif 000015
【図１４】
2019167576.tif 000016
【図１５】
2019167576.tif 000017
【図１６】
2019167576.tif 000018
【図１７】
2019167576.tif 000019
【図１８】
2019167576.tif 000020
【図１９】
2019167576.tif 000021
【図２０】
2019167576.tif 000022
【図２１】
2019167576.tif 000023
【図２２】
2019167576.tif 000024
【図２３】
2019167576.tif 000025
【図２４】
2019167576.tif 000026
【図２５】
2019167576.tif 000027
【図２６】
2019167576.tif 000028
【図２７】
2019167576.tif 000029
【国際調査報告】
2019167576.tif 000030
2019167576.tif 000031
2019167576.tif 000032
2019167576.tif 000033